(57)【特許請求の範囲】
【請求項１】
着座部を有する着座部材と、該着座部材に接合される底壁部材と、前記着座部材の前記着座部の裏側に設けられた便座加熱手段と、前記着座部材及び前記底壁部材の間に形成される中空空間内にあり前記便座加熱手段を介して前記着座部材を支持する支持部材とを備えた暖房便座であって、
前記支持部材が、前記支持部材の基部から突出し前記便座加熱手段と離間対向する荷重支持部と、前記基部から突出し前記クッション部材の水平方向の位置を規定する位置決め部とを有しており、
該荷重支持部が、弾性体からなるクッション部材によって被覆され、
前記クッション部材が、前記基部の上方まで延伸され前記位置決め部と当接することを特徴とする暖房便座。
【請求項２】
前記荷重支持部の先端より上方の前記クッション部材の厚みが、前記荷重支持部の高さよりも小さいことを特徴とする請求項１に記載の暖房便座。
【発明の詳細な説明】
【技術分野】
【０００１】
本発明は、内部に支持部材を有する暖房便座に関する。
【背景技術】
【０００２】
近年、着座部材と底壁部材との間に設けられ、着座部材の下面に着座部材と離間対向する荷重支持体を有した荷重受け部を備えた便座構造がある（例えば、特許文献１参照）。
【先行技術文献】
【特許文献】
【０００３】
【特許文献１】特開２０１３−２３６６５３号公報
【発明の概要】
【発明が解決しようとする課題】
【０００４】
このような特許文献１に記載されている便座構造は、ヒーターと荷重支持体が直接離間対向していることにより、使用者が着座した際にその荷重により着座部材が撓み、ヒーターの発熱部と荷重支持体が接触してしまうため、ヒーターの発熱部が断線してしまい暖房便座として機能しなくなる恐れがあった。
【０００５】
そこで、使用時の使用者の荷重によって着座部材が撓んだ際に、ヒーターの発熱部を避けて支持体を設けることにより、便座強度を保ちつつ、ヒーターの発熱部の断線を抑制する暖房便座がある。
しかしながら、この従来の暖房便座においても、使用者の暖房便座への着座により着座部材が撓み支持体と着座部材が接触している際に、支持体が着座部材に当たっていることが使用者に伝わり着座感を損ねるという問題があった。
【０００６】
そこで、本発明は、前述したような従来技術の問題を解決するものであって、すなわち、本発明の目的は、着座時に着座部材が撓むことで支持部材と当接していたとしても着座感の優れる暖房便座を提供することである。
【課題を解決するための手段】
【０００７】
本請求項１に係る発明は、着座部を有する着座部材と、該着座部材に接合される底壁部材と、前記着座部材の前記着座部の裏側に設けられた便座加熱手段と、前記着座部材及び前記底壁部材の間に形成される中空空間内にあり前記便座加熱手段を介して前記着座部材を支持する支持部材とを備えた暖房便座であって、前記支持部材が、前記支持部材の基部から突出し前記便座加熱手段と離間対向する荷重支持部と、前記基部から突出し前記クッション部材の水平方向の位置を規定する位置決め部とを有しており、該荷重支持部が、弾性体からなるクッション部材によって被覆され、前記クッション部材が、前記基部の上方まで延伸され前記位置決め部と当接していることにより、前述した課題を解決するものである。
【０００８】
本発明の暖房便座は、着座部材及び底壁部材の間で形成される中空空間内にあり便座加熱手段を介して着座部材を支持する支持部材を備えていることにより、着座時に着座部材が撓んで支持部材と当接する際に着座部にかかる荷重を支持部材が支持するため、支持部材がない場合と比べて着座に対する支持強度を増すばかりでなく、以下のような特有の効果を奏することができる。
【０００９】
すなわち、本請求項１に係る発明の暖房便座によれば、荷重支持部の少なくとも先端が、弾性体からなるクッション部材によって被覆されていることにより、着座時に着座部材が支持部材と当接してクッション部材が圧縮されたときに、クッション部材の弾性による反発力が着座部材にかかるため、着座時に着座部材が撓むことで支持部材と当接していたとしても着座感の優れる暖房便座を提供することができる。また、支持部材が基部から突出しクッション部材の水平方向の位置を規定する位置決め部を有し、荷重支持部が弾性体からなるクッション部材によって被覆され、クッション部材が基部の上方まで延伸され位置決め部と当接していることにより、クッション部材が水平方向にずれることを規制する。これにより、所定位置にクッション部材を確実に配設でき、着座時に着座部材が撓むことで支持部材と当接していたとしても着座感の優れる暖房便座を提供することができる。
【００１０】
本請求項２に係る発明は、請求項１に記載された暖房便座の構成に加えて、前記荷重支持部の先端より上方の前記クッション部材の厚みが、前記荷重支持部の高さよりも小さいことにより、前述した課題を解決するものである。
【００１１】
本請求項２に係る発明の暖房便座によれば、請求項１に係る発明が奏する効果に加えて、荷重支持部の先端より上方のクッション部材の厚みが、荷重支持部の高さよりも小さいことにより、荷重支持部の高さ方向において、クッション部材より硬い荷重支持部の割合がクッション部材よりも大きくなるため、着座時に着座部材が撓むことで支持部材と当接していたとしても、支持強度を保ちつつ着座感の優れる暖房便座を提供することができる。
【発明の効果】
【００１４】
本発明により、支持部材がない場合と比べて着座に対する支持強度を増すばかりでなく、着座時に着座部材が撓むことで支持部材と当接していたとしても着座感の優れる暖房便座を提供することができる。
【図面の簡単な説明】
【００１５】
【図１】本発明の第１実施形態の暖房便座の外観斜視図。
【図２】図１のＡ−Ａ断面図。
【図３】図２の要部拡大図。
【図４】第１実施形態の変形例における要部拡大断面図。
【発明を実施するための形態】
【００１６】
（第１実施形態）
以下に、本発明の第１実施形態である、暖房便座１００について、図１乃至図３に基づいて説明する。
【００１７】
図１は、本発明の第１実施形態の暖房便座１００の外観斜視図であり、使用者の臀部を暖める暖房便座１００は環状であり、大便器Ｔの前方に載置されている。
【００１８】
図２は、図１のＡ−Ａ断面図であり、暖房便座１００は着座部材１１０と底壁部材１２０とを備えている。
【００１９】
着座部材１１０は、使用者が着座する面を構成する着座部１１１と、この着座部１１１から滑らかに連続した着座部材１１０の側面を構成する側部（内周側の内周部１１２および外周側の外周部１１３）とを有しており、可撓性がある。
【００２０】
また、底壁部材１２０は、大便器Ｔと対向する底面部１２１と、内周部１１２の底面に設けられた略水平の内周側接合面１１２ａと対向する内周凸部１２２と、外周部１１３に設けられた略水平の外周側接合面１１３ａと対向する外周凸部１２３とを有している。
【００２１】
そして、内周側接合面１１２ａと内周凸部１２２、および外周側接合面１１３ａと外周凸部１２３がそれぞれ接合され、着座部材１１０と底壁部材１２０が接合されている。
これにより、着座部材１１０と底壁部材１２０と間に中空空間Ｖが形成されている。
【００２２】
さらに、着座部材１１０の着座部１１１の裏面にはそれ自体が加熱することで着座部１１１を介して使用者の臀部を加熱する便座加熱手段１３０が貼付されている。
【００２３】
便座加熱手段１３０の詳細な構成について、使用者が着座していない際の図２の要部拡大図である図３により説明する。
【００２４】
便座加熱手段１３０は、線状の発熱体である線状発熱体１３１と、着座部１１１の裏側ほぼ全面に貼付されると共に線状発熱体１３１が敷設され、線状発熱体１３１が発した熱を着座部１１１の全域へと拡散する熱拡散シート１３３と、この熱拡散シート１３３と共に線状発熱体１３１を挟持する固定シート１３４とを備えている。
【００２５】
さらに、便座加熱手段１３０は、熱拡散シート１３３と固定シート１３４との間に、線状発熱体１３１の他に、断面形状が矩形のスペーサー１３２を後述する支持部材１４０の荷重支持部１４３から距離ｄｓだけ上方にさらに備えている。
【００２６】
つまり、熱拡散シート１３３及び固定シート１３４が、線状発熱体１３１及び線状発熱体１３１と異なる位置にあるスペーサー１３２を挟持している。
これにより、スペーサー１３２の熱拡散シート１３３からのはく離が抑制されると共にスペーサー１３２が位置決めされる。
【００２７】
そして、スペーサー１３２の高さＨｓが線状発熱体１３１の厚みＨｈより大きく、スペーサー１３２の幅Ｗｓが荷重支持部１４３の幅Ｗより大きい。
これにより、多少の組み付け誤差があったとしても、スペーサー１３２と荷重支持部１４３が対向する。
【００２８】
また、図２および図３によれば、中空空間Ｖ内には、使用者が着座していない際に便座加熱手段１３０と離間対向しており、使用者の着座等により着座部１１１が撓んだ際に便座加熱手段１３０と当接し着座部１１１にかかる荷重を支持する支持部材１４０が設けられている。
これにより、着座時に着座部材１１０が支持部材１４０と当接する際に着座部１１１にかかる荷重を支持部材１４０が支持する。
【００２９】
支持部材１４０は、水平基部１４１と、複数の垂下部１４２（１４２ａ、１４２ｂ、１４２ｃ、１４２ｄ）と、荷重支持部１４３（荷重支持部１４３ａ、１４３ｂ）で構成されている。
【００３０】
水平基部１４１は、着座部１１１とほぼ平行に対向し着座部材１１０の内壁近傍まで延びる基部である。
【００３１】
複数の垂下部１４２（１４２ａ、１４２ｂ、１４２ｃ、１４２ｄ）は、この水平基部１４１から下方に垂れ下がり底壁部材１２０と当接する。
そして、垂下部１４２ａは水平基部１４１の最内周側から垂下しており、垂下部１４２ｄは水平基部１４１の最外周側から垂下している。
また、垂下部１４２ｂ、１４２ｃは垂下部１４２ａと垂下部１４２ｂの間で水平基部１４１から垂下しており、垂下部１４２ｂが垂下部１４２ｃより内周側に位置している。
【００３２】
荷重支持部１４３（１４３ａ、１４３ｂ）は、水平基部１４１から上方に立ち上がり使用者が着座していない際に便座加熱手段１３０と離間対向して便座加熱手段１３０に向かって上方に突出すると共に着座部材１１０からの荷重を支持する。
なお、着座部材１１０の変形により着座部１１１が撓み、着座部１１１が座加熱手段１３０を介して荷重支持部１４３と接触した場合には、荷重支持部１４３は着座部１１１にかかる荷重を支持する。
【００３３】
荷重支持部１４３（１４３ａ、１４３ｂ）が便座加熱手段１３０と離間対向していることにより、着座部材１１０に着座等の押圧が加わり、着座部材１１０が撓んだとしても、着座部材１１０と支持部材１４０とが接触しにくくなっている。
【００３４】
なお、本実施形態のおいては、荷重支持部１４３はスペーサー１３２から距離ｄｓだけ離間しているものの、便座加熱手段１３０がスペーサー１３２を備えないものであってもよい。
この場合、荷重支持部１４３は、固定シートから距離ｄｓだけ離間していればよい。
【００３５】
そして、荷重支持部１４３（１４３ａ、１４３ｂ）の全体がゴム等の弾性体からなると共に荷重支持部１４３よりも軟らかいクッション部材１５０（１５０ａ、１５０ｂ）によって被覆されている。
これにより、着座時に着座部材１１０が撓んで支持部材１４０と当接してクッション部材１５０が圧縮されたときに、クッション部材１５０の弾性による反発力が着座部材１１０にかかる。
なお、クッション部材１５０はスペーサー１３２よりも硬い部材である。
【００３６】
さらに、クッション部材１５０ａは水平基部１４１の上方まで延伸されており、荷重支持部１４３ａより内側で水平基部１４１から上方に突出している位置決め部１４４ａおよび荷重支持部１４３ａより外側で水平基部１４１から上方に突出している１４４ｂに当接している。
クッション部材１５０ｂについても同様に水平基部１４１の上方まで延伸されており、荷重支持部１４３ｂより内側で水平基部１４１から上方に突出している位置決め部１４４ｃおよび荷重支持部１４３ｂより外側で水平基部１４１から上方に突出している１４４ｄに当接している。
これにより、位置決め部１４４はクッション部材１５０の水平方向の位置を規定し、クッション部材１５０が水平方向である内外方向にずれることを規制する。
なお、本実施形態においては、位置決め部１４４が荷重支持部１４３の両側方に設けられているが、荷重支持部１４３の片側のみに位置決め部１４４を設けてもよい。
【００３７】
そして位置決め部１４４ａ、１４４ｂの高さＨ１は水平基部１４１の上部におけるクッション部材１５０ａ、１５０ｂの厚みｔ３とほぼ等しいが、クッション部材１５０ａ、１５０ｂの厚みｔ３より大きくてもよい。
これにより、クッション部材１５０の位置がずれたとしても位置決め部１４４を乗り越えにくくなるため、より確実にクッション部材１５０ａの位置を規定することができる。
【００３８】
また、クッション部材１５０は、便座加熱手段１２０と離間対向している。
これにより、クッション部材１５０が便座加熱手段１２０と接触する機会が減るため、クッション部材１５０へ応力がかかる機会も減り、クッション部材１５０の劣化を抑制することができる。
【００３９】
また、荷重支持部１４３の先端より上方のクッション部材１５０の厚みｔ１は、荷重支持部１４３の高さＨよりも小さい。
これにより、荷重支持部１４３の高さ方向において、クッション部材１５０より硬い荷重支持部１４３の割合がクッション部材１５０よりも大きくなる。
【００４０】
また、荷重支持部１４３の先端より上方のクッション部材１５０の厚みｔ１は、荷重支持部１４３の側方におけるクッション部材１５０の厚みｔ２より大きい。
【００４１】
さらに、荷重支持部１４３の先端より上方のクッション部材１５０の厚みｔ１は、線状発熱体１３１の厚みＨｈよりも大きい。
これにより、着座時に着座部材１１０が撓んで支持部材１４０と当接してクッション部材１５０が圧縮されたとしても、線状発熱体１３１が固定シート１３４を介して荷重支持部１４３に当接する可能性を抑制することができる。
【００４２】
また、クッション部材１５０は暖房便座１００の周方向において、離散的に荷重支持部１４３を被覆しているが、周方向全域に渡って荷重支持部１４３を被覆してもよい。
【００４３】
（第１実施形態の変形例）
以下に、本発明の第１実施形態の変形例について、図４に基づいて説明する。
【００４４】
図４は、第１実施形態の変形例における要部拡大断面図である。
本変形例において、クッション部材１５０は、荷重支持部１４３を被覆する硬質クッション部１５１（１５１ａ、１５１ｂ）と、この硬質クッション部１５１の上部にあり、硬質クッション部１５１より軟らかい物質からなる軟質クッション部１５２（１５２ａ、１５２ｂ）とから構成される。
そして、硬質クッション部１５１と軟質クッション部１５２は接着等により一体化されている。
これにより、着座に対する暖房便座１００の強度をより高めつつ、着座感の優れる暖房便座１００を提供することができる。
【００４５】
このようにして得られた本実施形態の暖房便座１００は、着座部材１１０及び底壁部材１２０の間で形成される中空空間Ｖ内にあり便座加熱手段１３０を介して着座部材１１０を支持する支持部材１４０を備えているため、支持部材１４０がない場合と比べて着座に対する支持強度を増すばかりでなく、荷重支持部１４３の少なくとも先端が、弾性体からなるクッション部材１５０によって被覆されているため、着座時に着座部材１１０が撓むことで支持部材１４０と当接していたとしても着座感の優れる暖房便座１００を提供することができる。
【００４６】
また、荷重支持部１４３の先端より上方のクッション部材１５０の厚みが、荷重支持部１４３の高さよりも小さいため、着座時に着座部材１１０が撓むことで支持部材１４０と当接していたとしても、支持強度を保ちつつ着座感の優れる暖房便座１００を提供することができる。
【００４７】
支持部材１４０が、クッション部材１５０の水平方向の位置を規定する位置決め部１４４を有しているため、所定位置にクッション部材１５０を確実に配設でき、着座時に着座部材１１０が撓むことで支持部材と当接していたとしても着座感の優れる暖房便座１００を提供することができる。
【００４８】
（変形例）
以上、本発明を実施するための形態について説明したが、本発明は上記に限定されるものではない。
本発明は、着座部を有する着座部材と、該着座部材に接合される底壁部材と、前記着座部材の前記着座部の裏側に設けられた便座加熱手段と、前記着座部材及び前記底壁部材の間に形成される中空空間内にあり前記便座加熱手段を介して前記着座部材を支持する支持部材とを備えた暖房便座であって、前記支持部材が、前記支持部材の基部から突出し前記便座加熱手段と離間対向する荷重支持部を有しており、該荷重支持部の少なくとも先端が、弾性体からなるクッション部材によって被覆されているものであり、支持部材がない場合と比べて着座に対する支持強度を増すばかりでなく、着座時に着座部材が撓むことで支持部材と当接していたとしても着座感の優れる暖房便座を提供することができる。
【００４９】
また、暖房便座の外観を形成する着座部材および底壁部材の材質は、ポリプロピレン樹脂やＡＢＳ樹脂等の射出成型することが可能なものであれば、如何なるものであってもよい。
また、着座部材と底壁部材との材質は同じである必要はない。
【００５０】
また、着座部材と底壁部材の接合方法については、本実施形態では振動溶着を用いているが、接合方法が振動溶着に限定されるものではなく、たとえばスナップフィット（掛合）を用いてもよいし、着座部材と底壁部材との境界面に樹脂を充填させて両者を接合させてもよい。
【００５１】
また、熱拡散シートの材質は、アルミニウム、銅など熱伝導率が高く、成型性に優れているものであれば、如何なるものであっても構わない。
【００５２】
また、固定シートの材質については、難燃性の材質であれば如何なるものであってもよく、熱拡散シートと同じ材質であってもよい。
【００５３】
また、クッション部材の材質については、ＪＩＳ  Ｋ６２５３で規定される硬さが７０程度であれば、如何なるものであっても構わない。
【００５４】
そして、前述した各実施形態が備える各要素は、技術的に可能である限り組み合わせることができ、これらを組み合わせたものも本発明の特徴を含む限り本発明の範囲に包含される。
【符号の説明】
【００５５】
１００                                ・・・  暖房便座
１１０                                ・・・  着座部材
１１１                                ・・・  着座部
１１２                                ・・・  内周部
１１２ａ                              ・・・  内周側接合面
１１３                                ・・・  外周部
１１３ａ                              ・・・  外周側接合面
１１４                                ・・・  内周側内壁
１１５                                ・・・  外周側内壁
１２０                                ・・・  底壁部材
１２１                                ・・・  底面部
１２２                                ・・・  内周凸部
１２３                                ・・・  外周凸部
１３０                                ・・・  便座加熱手段
１３１                                ・・・  線状発熱体
１３２                                ・・・  スペーサー
１３３                                ・・・  熱拡散シート
１３４                                ・・・  固定シート
１４０                                ・・・  支持部材
１４１                                ・・・  水平基部（基部）
１４２                                ・・・  垂下部
１４２ａ、１４２ｂ、１４２ｃ、１４２ｄ・・・  垂下部
１４３ａ、１４３ｂ                    ・・・  荷重支持部
１４４                                ・・・  位置決め部
１４４ａ、１４４ｂ、１４４ｃ、１４４ｄ・・・  位置決め部
１５０                                ・・・  クッション部材
１５０ａ、１５０ｂ                    ・・・  クッション部材
１５１                                ・・・  硬質クッション部材
１５１ａ、１５１ｂ                    ・・・  硬質クッション部材
１５２                                ・・・  軟質クッション部材
１５２ａ、１５２ｂ                    ・・・  軟質クッション部材
Ｔ                                  ・・・  大便器
Ｖ                                  ・・・  中空空間
ｄｈ                                ・・・  スペーサーと線状発熱体との距離
ｄｓ                                ・・・  スペーサーとクッション部材の上端との距離
Ｈｈ                                ・・・  線状発熱体の厚み
Ｈｓ                                ・・・  スペーサーの高さ
Ｗｓ                                ・・・  スペーサーの幅
ｔ１、ｔ２、ｔ３                    ・・・  クッション部材の厚み
Ｈ                                  ・・・  荷重支持部の高さ
Ｗ                                  ・・・  荷重支持部の幅
Ｈ２                                ・・・  位置決め部の高さ
【図１】
0006395104.tif 000002
【図２】
0006395104.tif 000003
【図３】
0006395104.tif 000004
【図４】
0006395104.tif 000005